(57)【要約】パーソナルケア装置（２）と冷却装置（３）を有するパーソナルケアシステム（１）において、冷却装置は、プラスチック材料のハウジング（７）と、金属の熱伝導装置（１１）を有し、熱伝導装置は、ハウジングを貫通する部分（１４）を有し、その部分には、その部分の外面（２０）につながる少なくとも１つの溝状凹部（２１）が設けられ、凹部の側壁（２３、２４）の後部には、ハウジングの部分（２５、２６）が引っ掛かる。
2005516675.tif 000002
【特許請求の範囲】
【請求項１】
パーソナルケア装置と冷却装置を有し、
前記冷却装置は、プラスチック材料のハウジングを有し、前記ハウジング内には冷却剤が含まれ、また、前記冷却装置は、熱伝導装置を有し、
前記熱伝導装置は、前記ハウジング内に収容され且つ前記冷却剤と熱伝導接続する第１の部分と、通過方向に前記ハウジングを貫通する第２の部分と、体の冷却されるべき領域を冷却するための第３の部分とを有する、パーソナルケアシステムであって、
前記熱伝導装置の前記第２の部分と前記熱伝導装置の前記第２の部分を取り囲む前記ハウジングの領域との間に、前記通過方向に対し横に延在する、少なくとも１つの溝状凹部と少なくとも１つのストリップ状突起からなる少なくとも１つの組合せ体が設けられ、
前記少なくとも１つの組合せ体における前記少なくとも１つの溝状凹部は、前記少なくとも１つの溝状凹部の２つの側壁によって画成され、少なくとも１つの側壁は、前記ストリップ状突起の部分が、前記少なくとも１つの側壁の後部に引っ掛かるような構造である、パーソナルケアシステム。
【請求項２】
前記凹部の前記２つの側壁の構造は、前記ストリップ状突起の２つの部分が、前記２つの側壁の後部に引っ掛かるような構造である請求項１記載のパーソナルケアシステム。
【請求項３】
前記少なくとも１つの溝状凹部は、鳩尾形状である請求項１記載のパーソナルケアシステム。
【請求項４】
少なくとも１つの組合せ体は、リング状に閉じられる溝状凹部と、リング状に閉じられるストリップ状突起を有する請求項１記載のパーソナルケアシステム。
【請求項５】
前記少なくとも１つの組合せ体において、前記少なくとも１つの溝状凹部は、前記熱伝導装置の前記第２の部分に設けられ、前記少なくとも１つのストリップ状突起は、前記熱伝導装置に前記第２の部分を取り囲む前記ハウジングの前記領域上に設けられる請求項１記載のパーソナルケアシステム。
【請求項６】
前記熱伝導装置は、アルミニウムから形成される少なくとも１つの押出し成形されるプロファイルを有する請求項１記載のパーソナルケアシステム。
【請求項７】
パーソナルケアシステム用の冷却装置であって、
前記冷却装置は、プラスチック材料のハウジングを有し、前記ハウジング内には冷却剤が含まれ、また、前記冷却装置は、熱伝導装置を有し、
前記熱伝導装置は、前記ハウジング内に収容され且つ前記冷却剤と熱伝導接続する第１の部分と、通過方向に前記ハウジングを貫通する第２の部分と、体の冷却されるべき領域を冷却するための第３の部分とを有し、
前記熱伝導装置の前記第２の部分と前記熱伝導装置の前記第２の部分を取り囲む前記ハウジングの領域との間に、前記通過方向に対し横に延在する、少なくとも１つの溝状凹部と少なくとも１つのストリップ状突起からなる少なくとも１つの組合せ体が設けられ、
前記少なくとも１つの組合せ体における前記少なくとも１つの溝状凹部は、前記少なくとも１つの溝状凹部の２つの側壁によって画成され、少なくとも１つの側壁は、前記ストリップ状突起の部分が、前記少なくとも１つの側壁の後部に引っ掛かるような構造である、冷却装置。
【請求項８】
前記凹部の前記側壁の構造は、前記ストリップ状突起の２つの部分が、前記側壁の後部に引っ掛かるような構造である請求項７記載の冷却装置。
【請求項９】
前記少なくとも１つの溝状凹部は、鳩尾形状である請求項８記載の冷却装置。
【請求項１０】
少なくとも１つの組合せ体は、リング状に閉じられる溝状凹部と、リング状に閉じられるストリップ状突起を有する請求項７記載の冷却装置。
【請求項１１】
前記少なくとも１つの組合せ体において、前記少なくとも１つの溝状凹部は、前記熱伝導装置の前記第２の部分に設けられ、前記少なくとも１つのストリップ状突起は、前記熱伝導装置に前記第２の部分を取り囲む前記ハウジングの前記領域上に設けられる請求項７記載の冷却装置。
【請求項１２】
前記熱伝導装置は、アルミニウムから形成される少なくとも１つの押出し成形されるプロファイルを有する請求項７記載の冷却装置。
【発明の詳細な説明】
【技術分野】
【０００１】
本発明は、パーソナルケア装置と冷却装置を有するパーソナルケアシステムに関り、この冷却装置は、プラスチック材料のハウジングを有し、そのハウジング内には冷却剤が含まれ、また、冷却装置は、熱伝導装置を有する。
【０００２】
本発明は更に、パーソナルケアシステム用の冷却装置に関り、この冷却装置は、プラスチック材料のハウジングを有し、そのハウジング内には冷却剤が含まれ、また、冷却装置は、熱伝導装置を有する。
【背景技術】
【０００３】
上に簡単に説明したようなパーソナルケアシステム、即ち、脱毛システムと、この脱毛システム用の上に簡単に説明したような冷却装置は、特許文書ＷＯ００／７６３６３Ａ１から公知である。この公知の解決策では、アルミニウムから形成される熱伝導装置は、冷却装置のハウジング内に収容され、冷却剤と熱伝導接続する第１の部分を有する。この第１の部分は、略スリーブ状の形に設計され、楕円構造である熱伝導装置の第２の部分に接続される。スリーブ状の形の第２の部分は、スリーブフロアによって一端において閉じられる。このスリーブフロアは、人体の冷却されるべき領域を冷却することを目的とする熱伝導装置の第３の部分を形成する。この周知の設計では、スリーブ状の形の第２の部分は、スリーブの外壁の領域において、溝状の凹部が設けられる。溝状の凹部は、リング状に閉じられ、ハウジングからのストリップ状の突起を受容する。ストリップ状の突起もリング状に閉じられ、また、ストリップ状の突起は、射出成形により形成される。溝状の凹部の断面構造は、この場合、Ｕ字型であり、側壁が、凹部の底壁の方向に見て各凹部において僅かに収束する。公知の解決策における熱伝導装置の第２の部分のスリーブ状の形によって、第２の部分の領域に存在する弾性は、このような種類の冷却装置に生じる温度差にも関らず、プラスチックハウジングとアルミニウム熱伝導装置の第２の部分との間に良好な密閉があることを確実にするよう十分に高く、それにより、ハウジング内に含まれる冷却剤の如何なる望ましくない漏れを阻止する。
【０００４】
検査によって、ハウジングを通る熱伝動装置の第２の部分が異なるように構成される場合、特許ＷＯ００／７６３６３Ａ１から公知の解決策は、残念ながら要件を満たさず、というのは、熱伝導装置の第２の部分が、金属であり、また、例えば、幾分プレート状の構造であり、また、プラスチック材料のハウジングによって取り囲まれる場合、特許ＷＯ００／７６３６３Ａ１から公知である解決策が実施されると、熱膨張係数における相当の差によって望ましくない漏れが発生し得るからである。
【発明の開示】
【発明が解決しようとする課題】
【０００５】
本発明は、上述した欠点を解決し、改良されたパーソナルケアシステム及び改良された冷却装置を生成することを目的とする。
【課題を解決するための手段】
【０００６】
上述した目的を達成するために、本発明による特徴は、本発明によるパーソナルケアシステムに、本発明によるパーソナルケアシステムが以下の通りに特徴付けられることを可能にするよう与えられる。
【０００７】
パーソナルケア装置と冷却装置を有するパーソナルケアシステムであって、冷却装置は、プラスチック材料のハウジングを有し、ハウジング内には冷却剤が含まれ、また、冷却装置は、熱伝導装置を有し、熱伝導装置は、ハウジング内に収容され且つ冷却剤と熱伝導接続する第１の部分と、通過方向にハウジングを貫通する第２の部分と、体の冷却されるべき領域を冷却するための第３の部分とを有し、熱伝導装置の第２の部分と熱伝導装置の第２の部分を取り囲むハウジングの領域との間に、通過方向に対し横に延在する、少なくとも１つの溝状凹部と少なくとも１つのストリップ状突起からなる少なくとも１つの組合せ体が設けられ、少なくとも１つの組合せ体における少なくとも１つの溝状凹部は、少なくとも１つの溝状凹部の２つの側壁によって画成され、少なくとも１つの側壁は、ストリップ状突起の部分が、少なくとも１つの側壁の後部に引っ掛かるような構造である。
【０００８】
上述したような目的を達成するために、本発明による特徴は、本発明の冷却装置に、本発明による冷却装置が以下の通りに特徴付けられることを可能にするよう与えられる。
【０００９】
パーソナルケアシステム用の冷却装置であって、冷却装置は、プラスチック材料のハウジングを有し、ハウジング内には冷却剤が含まれ、また、冷却装置は、熱伝導装置を有し、熱伝導装置は、ハウジング内に収容され且つ冷却剤と熱伝導接続する第１の部分と、通過方向にハウジングを貫通する第２の部分と、体の冷却されるべき領域を冷却するための第３の部分とを有し、熱伝導装置の第２の部分と熱伝導装置の第２の部分を取り囲むハウジングの領域との間に、通過方向に対し横に延在する、少なくとも１つの溝状凹部と少なくとも１つのストリップ状突起からなる少なくとも１つの組合せ体が設けられ、少なくとも１つの組合せ体における少なくとも１つの溝状凹部は、少なくとも１つの溝状凹部の２つの側壁によって画成され、少なくとも１つの側壁は、ストリップ状突起の部分が、少なくとも１つの側壁の後部に引っ掛かるような構造である。
【００１０】
本発明による特徴を与えることにより、構造的に単純で製造するのが容易な方法で、本発明による冷却装置が晒される温度差が高い場合においても、冷却装置のハウジングを熱伝導装置の第２の部分が貫通する領域において、冷却装置において十分な密閉が維持されることが常に確実にされる有利な設計を形成することが可能である。十分な密閉作用は、冷蔵庫の冷凍室又は冷凍庫キャビネット内に置かれると生じるように冷却装置が冷却されると、冷却装置のプラスチックハウジング、従って、熱伝導装置の第２の部分も、金属の熱伝導装置よりも大きい度合いで収縮し、凹部の側壁の後部に引っ掛かるストリップ状突起の各部分は、ストリップ状突起が後部にその後部に引っ掛かる凹部側壁を、比較的大きい力で押し、それにより、安全且つ信頼度のある密閉を確実にするという事実の結果、主に存在し、また、十分な密閉作用は更に、パーソナルケアシステム、従って、冷却装置が使用されると生じるように冷却装置が温められると、そのとき、冷却装置のプラスチックハウジングは、金属の熱伝導装置、従って、熱伝導装置の第２の部分よりも大きい度合いで膨張し、各ストリップ状突起は、溝状凹部の底壁と、更に、溝状凹部と溝状凹部を有する冷却装置の第２の部分の接続する外面との間の移行領域を押し、それにより、十分な密閉を確実にするという事実の結果、存在する。
【００１１】
本発明によるパーソナルケアシステム、又は、本発明による冷却装置において、１つの凹部側壁だけが、ストリップ状突起の一部が凹部側壁の後部に引っ掛かるような構造を有することが可能である。しかし、少なくとも１つの溝状凹部の両方の側壁が、関連付けられるストリップ状突起の２つの部分が両方の側壁の後部に引っ掛かるような構造を有すると特に有利であることが証明されている。このような種類の設計は、良好な密閉作用に関する特に高い信頼度を確実にする。
【００１２】
本発明によるパーソナルケアシステム、又は、本発明による冷却装置において、溝状凹部は、その断面においてアーチ状であり得る。少なくとも１つの溝状凹部は、鳩尾形状であると特に有利であることが証明されている。このような種類の設計は、可能な限り良好な密閉に関して特に有利であることが分かっている。
【００１３】
本発明によるパーソナルケアシステム、及び、本発明による冷却装置において、溝状凹部は、通過方向に対し横の比較的大きいサイズのハウジングの領域又は熱伝導装置の第２の部分のみに延在し得る。しかし、非常に有利であると証明されていることは、請求項４及び請求項１０に特定する特徴を、それぞれの場合において追加として与えることである。これは、少なくとも１つの溝状凹部は、通過方向に対し横に向けられた位置で、熱伝導装置の第２の部分の全範囲、又は、第２の領域を取り囲むハウジングの領域の全範囲に亘って延在することを意味し、この結果、その範囲全体に沿って十分な密閉が確実にされる。
【００１４】
本発明によるパーソナルケアシステム、及び、本発明による冷却装置において、請求項５及び請求項１１に特定する特徴がそれぞれ与えられると、有利であることが証明されている。このような種類の設計は、実用において有利であることが分かっている。しかし、少なくとも１つのストリップ状突起が冷却装置のハウジング上に設けられ、関連付けられる溝状凹部が熱伝導装置の第２の部分に設けられても有利であり得ることを述べておく。
【００１５】
本発明によるパーソナルケアシステム、及び、本発明による冷却装置において、熱伝導装置が、少なくとも１つの形付けられたプロファイルの押出し部材を有すると特に有利であることが証明されている。この設計は、熱伝導装置は、押出し加工によって非常に容易に形成可能であるという利点を有する。
【発明を実施するための最良の形態】
【００１６】
本発明のこれら及び他の面は、以下に説明する実施例を参照しながら説明し、また、明らかとなろう。しかし、本発明は、これらの実施例に制限されるものではない。
【００１７】
図１及び３に、パーソナルケアシステムを示す。パーソナルケアシステム１は、パーソナルケア装置２と冷却装置３を有する。パーソナルケア装置２は、脱毛装置２であり、この装置を用いて人体の領域から毛を抜くことができる。毛を抜くことを可能にするために、脱毛装置２は、互いに隣に設置され、回転駆動される一組の脱毛円盤４を有し、これらの円盤は、変速部６を介してモータ５によって駆動可能である。このような種類の脱毛装置２の設計は、かなり前から知られており、今回の関連においては重要ではなく、その理由から、ここでは、脱毛装置２の設計の更なる詳細は与えない。
【００１８】
図２に単独に示し、その詳細は図４に示す冷却装置３は、ハウジング７を有する。ハウジング７は、プラスチック材料から形成され、プラスチック材料における溶接継手によって防水密閉で互いに接続される２つの皿部８及び９を有する。ハウジング７の中には冷却剤が含まれ、冷却剤は、主に水と好適な添加剤を有する。第１のハウジング皿部８の領域では、冷却装置３は、スナップ式突起１０を有し、このスナップ式突起１０によって、冷却装置３は、脱毛装置２に接続されることが可能であり、それにより、冷却装置３と脱毛装置２が、実際の動作に適した作業組合体、即ち、パーソナルケアシステム１を形成することを可能にする。
【００１９】
冷却装置３は、熱伝導装置１１も有する。熱伝導装置１１は、ハウジング７内に完全に収容され、冷却剤と熱伝導接続する部分１２と、ハウジング７を貫通する、即ち、図４に示すハウジングの皿部８を矢印１３によって示す通過方向に貫通する第２の部分１４と、人体の冷却されるべき領域を冷却する第３の部分１５を有する。この場合では、熱伝導装置１１は、２つのアルミニウムから形成される押出し成形形状のプロファイルを有し、第１の押出し成形形状のプロファイルが、第１の部分１２を形成し、第２の押出し成形形状のプロファイルが、第２の部分１４と第３の部分１５を形成する。２つの形作られたプロファイルは、圧縮動作によって形成される圧縮継手によって互いに接続される。第１の部分１２は、略プレート状であり、また、その構造が、ハウジング７の形に可能な限り合うよう僅かに傾斜されて設計される。第１の部分１２は、型打ちした部品によっても形成され得ることも述べておく。第３の部分１５は、第２の部分１４と共に１つの部品として合わせられる接続部１６と、接続部１６から突出する主冷却部１７と、接続部１６と主冷却部１７の両方に接続され、毛が入り、一組の脱毛円盤４に到達可能にするよう設けられるエントリ開口１９を取り囲むＵ字型の付加的冷却部１８を有する。
【００２０】
熱伝導装置１１は、その第２の部分１４において、通過方向１３に対し横に延在し、第２の部分１４の外面２０に通じる６つの溝状の凹部２１が設けられる。６つの溝状の凹部２１は、この場合では、略鳩尾形状である。６つの凹部２１のそれぞれは、底壁２２と２つの側壁２３及び２４によって画成され、側壁２３及び２４は、一方で底壁２２につながり、他方で第２の部分１４の外面２０につながる。凹部の側壁２３及び２４の構造は、特に有利な方法において、ハウジング７の部分２５及び２６が、側壁２３及び２４の後部に引っ掛かるようにされる。部分２５及び２６は、ハウジング皿部８全体と同様に、熱伝導装置１１の第２の部分１４の周りにおいてそれらを射出成形することによって形成される。熱伝導装置１１の第２の部分１４の周りの射出成形は、ストリップ状の突起３１を形成し、突起の部分２５及び２６は、凹部の側壁２３及び２４の後部に引っ掛かることを意図され且つ引っ掛かるよう設計される。
【００２１】
溝状の凹部２１、凹部の側壁２３及び２４、並びに、ストリップ状の突起３１の上述したような形によって、有利に達成されることは、十分な密閉が常に確実にされることであり、従って、冷却装置３のハウジング７を貫通する第２の部分１４の領域における冷却装置３から冷却剤が望ましくなく漏れること、つまり、冷却装置３が高い温度差に晒されるときでも、冷却装置３から冷却剤が望ましくなく漏れることが、信頼度が高く阻止される。この高い温度差は、冷却装置は、例えば、冷凍庫のキャビネット内において又は冷蔵庫の冷凍室内に置かれて冷却され、次に、使用時に、高い温度であり得る周囲空気によって取り囲まれることによって実際において発生する。
【００２２】
冷却装置３の熱伝導装置１１の第２の部分１４を、図５に概略的に示す。この解決策では、３つの溝状の凹部２７が設けられ、これらは、リングのように閉じられるよう形成される。この場合でも、溝状の凹部２７は、底壁２８と２つの側壁２９及び３０によってそれぞれ画成され、壁２８、２９、及び３０は共に、アーチ状の構造であり、また、凹部の側壁２９及び３０の構造は、冷却装置３のハウジングのストリップ状の突起（この場合では図示しない）の一部がこれらの側壁２９及び３０の後部に引っ掛かるようにされる。
【００２３】
図１乃至５によって上述した解決策の場合では、溝状の凹部２１及び２７は、熱伝導装置１１の第２の部分１４に設けられ、ストリップ状の突起３１は、冷却装置３のハウジング７に設けられる。しかし、ストリップ状の突起が熱伝導装置に設けられ、溝状の凹部がハウジング内に設けられることも可能であり、このことの利点は、凹部によってもたらされる熱伝導装置の材料の弱化がないことである。
【００２４】
図１乃至４を参照して上述したのは、脱毛装置２と冷却装置３を有するパーソナルケアシステム１である。しかし、本発明による設備は、有利に、脱毛装置を有するパーソナルケアシステムだけではなく、マッサージユニット、又は、針状又はピン状の処理部材を有する皮膚処理器具を有する血液循環刺激ユニットを有するパーソナルケアシステムにも与えられ得る。このようなパーソナルケアシステムにおいても、冷却装置は、痛みの感覚を少なくするよう有利に同等に用いられる。
【図面の簡単な説明】
【００２５】
【図１】パーソナルケア装置と本発明による冷却装置を有する本発明によるパーソナルケアシステムを上から見た斜視図である。
【図２】図１のパーソナルケアシステムの冷却装置を示す図１に類似する図である。
【図３】図１の線ＩＩＩ−ＩＩＩについて取られた図１のパーソナルケアシステムを示す断面図である。
【図４】図３に示す円ＩＶによって画成される図１及び図３のパーソナルケアシステムの冷却装置の領域の細部を示す断面図である。
【図５】本発明の第２の実施例における冷却装置の熱伝導装置の一部を示す断面図である。
【図１】
2005516675.tif 000003
【図２】
2005516675.tif 000004
【図５】
2005516675.tif 000005
【図３】
2005516675.tif 000006
【図４】
2005516675.tif 000007
【国際調査報告】
2005516675.tif 000008
2005516675.tif 000009